(57)【要約】【課題】  構造を簡単化することができ、光学ドライブユニットにおけるディスクを搭載したトレイの挿脱方向を使用状況に応じて自由に設定できる。【解決手段】  コンピューター本体１の筐体１ａの上部に配置された光学ドライブユニット２を１８０度回転可能とし、前方と左右横方向から光学ドライブユニット２内におけるディスクが搭載されたトレイ７を挿脱可能にし、コンピューター本体１の筐体１ａの上面に大筒状部４が上向きに突出して形成され、光学ドライブユニット２の筐体２ａの下面に大筒状部４に回転可能に嵌めいれられる小筒状部５が突出形成されており、大筒状部４の中心位置に光学ドライブユニット２の下面の端子に接触するケーブル６の先端が位置されていて、光学ドライブユニット２が１８０度回転可能とされ、光学ドライブユニット２のトレイ７を前方及び横方向から挿脱可能とした。【選択図】  図１
2007293692.tif 000002
【特許請求の範囲】
【請求項１】
コンピューター本体の上部に配置された光学ドライブユニットを１８０度回転可能とし、前方と左右横方向から前記光学ドライブユニット内におけるディスクが搭載されたトレイを挿脱可能にしたディスクトップ型パーソナルコンピューターであって、前記コンピューター本体の筐体の上部に凹所が形成され、この凹所の上面に大筒状部が上向きに突出して形成され、前記光学ドライブユニットの筐体の下面に前記大筒状部に回転可能に嵌めいれられる小筒状部が突出形成されており、前記大筒状部の中心位置に前記光学ドライブユニットの下面の端子に接触するケーブルの先端が位置されていて、前記光学ドライブユニットの筐体が１８０度回転可能とされ、前記光ドライブユニットの前記トレイを前方及び左右の３方向から挿脱可能としたことを特徴とするディスクトップ型パーソナルコンピューター。
【請求項２】
機器本体に設けられた光学ドライブユニットを前記機器本体に対して９０度又は１８０度回転可能とし、前記光学ドライブユニットにおけるディスクを搭載したトレイを２方向又は３方向から挿脱可能にした光学ドライブ搭載機器であって、前記機器本体の筐体の上面に大筒状部が上向きに突出して形成され、前記光学ドライブユニットの筐体の下面に前記大筒状部に回転可能に嵌めいれられる小筒状部が突出形成されており、前記光学ドライブユニットの前記トレイを２方向又は３方向から挿脱可能としたことを特徴とする光学ドライブ搭載機器。
【請求項３】
前記機器本体がノート型パーソナルコンピューターのコンピューター本体からなり、前記コンピューター本体内に前記光学ドライブユニットが９０度回転可能に配置されており、前記光ドライブユニットの前方と横方向とから前記トレイを挿脱可能とした請求項２に記載の光学ドライブ搭載機器。
【発明の詳細な説明】
【技術分野】
【０００１】
本発明は、本体部の前方及び横方向から光学ドライブユニットにおけるディスクが搭載されたトレイを挿脱可能としたディスクトップ型パーソナルコンピューター及び光学ドライブ搭載機器に関するものである。
【背景技術】
【０００２】
第１の従来技術を図６に示す。この従来のデータ処理装置は、図６に示すように、本体ケース１０１の前面及び一側面にドライブユニット１０３を挿入可能とする挿入口１０４、１０５を設け、挿入口１０４、１０５と対向する本体ケース１０１内にドライブユニット１０３のコネクタ１０３ａと接続可能な接続手段１０６、１０７をそれぞれ設けることにより、ドライブユニット１０３の挿入個所を変えることによって、ドライブユニット１０３を前方向又は横方向から収納可能とする。（例えば、特許文献１参照）。
【０００３】
ところが、これにおいては、挿入口１０４、１０５が２箇所もうけられており、構造が複雑であるという問題があった。
【０００４】
第２の従来技術を図７、図８に示す。この従来のデータ処理装置の構造は、図７、図８に示すように、ディスクドライブ装置２１０の一方の面に枢軸２１１を設けると共に、ディスクドライブ装置２１０を装着する装置本体２２０側には枢軸２１１を案内するガイド２２１を設け、且つ、ガイド２２１は略くの字状に屈曲せしめて形成したことを特徴とするものである。（例えば、特許文献２参照）。
【０００５】
ところが、これにおいては、ガイド２２１を設けなくてはならず、このガイド２２１の構造が複雑であるという問題があった。
【０００６】
第３の従来技術を図９、図１０に示す。この従来の小型コンピュータ装置は、図９、図１０に示すように、光学情報記録再生装置３０３をコンピュータ本体３０１から引き抜き、光学情報記録再生装置３０３から引出されたトレイ３０５上のコンパクトディスク実装面３０５ａが縦置き姿勢のコンピュータ本体３０１の正面側から見た場合に右側に配置される姿勢Ｂに姿勢転換して、コンピュータ本体３０１の差込口３０１ａからスロット３０１ｂ内に着脱可能に実装する。さらに、光学情報記録再生装置３０３をコンピュータ本体３０１の差込口３０１ａからスロット３０１ｂ内に実装することにより、光学情報記録再生装置３０３のインターフェイスコネクタ３０８をコンピュータ本体３０１のインターフェイスコネクタ３０９に差込み、電気的に接続する。（例えば、特許文献３参照）。
【０００７】
ところが、これにおいては、コンピュータ本体３０１の前方だけからトレイ３０５を挿脱するものであった。従って、コンピュータ本体３０１の横方向からトレイ３０５を挿脱できるものではなかった。
【特許文献１】特開平７−１６０３６５号公報
【特許文献２】特開平７−１７６１７９号公報
【特許文献３】特開２０００−９９１９８号公報
【発明の開示】
【発明が解決しようとする課題】
【０００８】
本発明は、上記従来の問題に鑑みてなされたものであって、構造を簡単化することができ、光学ドライブユニットにおけるディスクを搭載したトレイの挿脱方向を使用状況に応じて自由に設定できるディスクトップ型パーソナルコンピューター及び光学ドライブ搭載機器を提供することを目的としている。
【課題を解決するための手段】
【０００９】
本発明は、上記課題を解決するために提案されたものであって、請求項１に記載の発明は、コンピューター本体の上部に配置された光学ドライブユニットを１８０度回転可能とし、前方と左右横方向から前記光学ドライブユニット内におけるディスクが搭載されたトレイを挿脱可能にしたディスクトップ型パーソナルコンピューターであって、前記コンピューター本体の筐体の上部に凹所が形成され、この凹所の上面に大筒状部が上向きに突出して形成され、前記光学ドライブユニットの筐体の下面に前記大筒状部に回転可能に嵌めいれられる小筒状部が突出形成されており、前記大筒状部の中心位置に前記光学ドライブユニットの下面の端子に接触するケーブルの先端が位置されていて、前記光学ドライブユニットの筐体が１８０度回転可能とされ、前記光ドライブユニットの前記トレイを前方及び左右の３方向から挿脱可能としたことを特徴としている。
【００１０】
請求項２に記載の発明は、機器本体に設けられた光学ドライブユニットを前記機器本体に対して９０度又は１８０度回転可能とし、前記光学ドライブユニットにおけるディスクを搭載したトレイを２方向又は３方向から挿脱可能にした光学ドライブ搭載機器であって、前記機器本体の筐体の上面に大筒状部が上向きに突出して形成され、前記光学ドライブユニットの筐体の下面に前記大筒状部に回転可能に嵌めいれられる小筒状部が突出形成されており、前記光学ドライブユニットの前記トレイを２方向又は３方向から挿脱可能としたことを特徴としている。
【００１１】
請求項３に記載の発明は、請求項２に記載の発明において、前記機器本体がノート型パーソナルコンピューターのコンピューター本体からなり、前記コンピューター本体内に前記光学ドライブユニットが９０度回転可能に配置されており、前記光ドライブユニットの前方と横方向とから前記トレイを挿脱可能とした。
【発明の効果】
【００１２】
請求項１に記載の発明によれば、コンピューター本体の筐体の大筒状部に光学ドライブユニットの筐体の小筒状部を回転可能に嵌めいれているだけの構造であるから構造を簡単化することができる。また、大筒状部と小筒状部の嵌めあいによって光学ドライブユニットを回転できるから、コンピューター本体に対して光学ドライブユニットを前方向きあるいは左右向きにできることにより、ディスクを搭載したトレイを前方または左右横方向から挿脱することができ、トレイの挿脱方向を使用状況に応じて自由に設定できる。
【００１３】
請求項２に記載の発明によれば、機器本体の筐体の大筒状部に光学ドライブユニットの筐体の小筒状部を回転可能に嵌めいれた構造であるから構造を簡単化することができる。また、大筒状部と小筒状部の嵌めあいによって光学ドライブユニットを回転できることにより、機器本体に対して光学ドライブユニットを前方向きあるいは横向きにできるから、ディスクを搭載したトレイを前方または横方向から挿脱でき、トレイの挿脱方向を使用状況に応じて自由に設定することができる。
【００１４】
請求項３に記載の発明によれば、ノート型パーソナルコンピューターのコンピューター本体の筐体に対して光学ドライブユニットを９０度回転できるから、ディスクを搭載したトレイを前方向あるいは横方向から挿脱でき、トレイの挿脱方向を使用状況に応じて自由に設定することができる。
【発明を実施するための最良の形態】
【００１５】
以下、本発明に係るディスクトップ型パーソナルコンピューター及びノート型パーソナルコンピューターなどの光学ドライブ搭載機器について、図を参照しつつ説明する。
【００１６】
図１は本発明のノート型パーソナルコンピューターにおける要部の内部構造を示し、（ａ）はその斜視図、（ｂ）はその一部切欠した部分正面図、図２はノート型パーソナルコンピュータの斜視図、図３は図２の部分拡大斜視図である。
【００１７】
本実施形態のノート型パーソナルコンピューターは、図２、図３に示すように、コンピューター本体１の角部に光学ドライブユニット２が配置されている。図１（ａ）（ｂ）に示すように、コンピュータ本体１の筐体１ａの上面に大筒状部４が上向きに突設され、光学ドライブユニット２の筐体２ａの下面に大筒状部４に回転可能に嵌めいれられた小筒状部５が下向きに突設されている。大筒状部４には略Ｌ字形のケーブル６が配置され、このケーブル６の上端が光学ドライブユニット２の下面の端子（図示略）が接触するように構成されている。光学ドライブユニット２の一辺は外側に突出形成されており、この突出部分２ｂが、コンピューター本体１の筐体１ａに設けられた対角線上の係止片１ｂ、１ｃに係止されるようになっている。これにより、光学ドライブユニット２は９０度回転可能となっている。また、光学ドライブユニット２の上面の中心位置には円形の突起２ｃが設けられ、この突起２ｃがコンピューター本体１の上壁１ｄに下向きに設けられた円筒状部１ｅに回転可能に嵌めいれられている。
【００１８】
従って、本実施形態のノート型パーソナルコンピューターによれば、コンピューター本体１の筐体１ａの大筒状部４に光学ドライブユニット２の筐体２ａの小筒状部５を回転可能に嵌めいれているだけの構造であるから構造を簡単化することができる。また、大筒状部４と小筒状部５の嵌めあいによって光学ドライブユニット２を回転できるから、コンピューター本体１に対して光学ドライブユニット２を前方向きあるいは横向きにできることにより、ディスクを搭載したトレイ７を前方または左右横方向から挿脱することができ、トレイ７の挿脱方向を使用状況に応じて自由に設定できる。
【００１９】
図４は本発明のディスクトップ型パーソナルコンピューターのコンピューター本体の上部を示す斜視図、図５は図４に示すコンピューターの光学ドライブユニットを９０度回転した状態の斜視図である。
【００２０】
本実施形態のディスクトップ型パーソナルコンピューターは、図４、図５に示すように、コンピューター本体８の筐体８ａの上面に凹所８ｂが形成され、この凹所８ｂの上面に図１と同様な大筒状部４が上向きに突出形成され、光学ドライブユニット２の筐体２ａの下面に大筒状部４に回転可能に嵌めいれられた小筒状部５が下向きに突出形成されている。また、コンピュータ本体８の筐体８ａの上面には、凹所８ｂに連なる弧状凹部８ｃが形成されている。従って、光学ドライブユニット２はコンピューター本体８に対して１８０度回転可能となっている。
【００２１】
このディスクトップ型パーソナルコンピューターによれば、コンピューター本体８の大筒状部４に光学ドライブユニット２の小筒状部５を回転可能に嵌めいれているだけの構造であるから構造を簡単化することができる。また、大筒状部４と小筒状部５の嵌めあいによって光学ドライブユニット２を回転できるから、コンピューター本体８に対して光学ドライブユニット２を前方向きあるいは左右向きにできることにより、ディスクを搭載したトレイ７を前方または左右横方向から挿脱することができ、トレイ７の挿脱方向を使用状況に応じて自由に設定できる。
【００２２】
尚、本発明は、上記した実施形態に限らず、他の光学ドライブ搭載機器にも適用できることは勿論である。
【図面の簡単な説明】
【００２３】
【図１】本発明のノート型パーソナルコンピューターにおける要部の内部構造を示し、（ａ）はその斜視図、（ｂ）はその一部切欠した部分正面図である。
【図２】ノート型パーソナルコンピュータの斜視図である。
【図３】図２の部分拡大斜視図である。
【図４】本発明のディスクトップ型パーソナルコンピュータのコンピューター本体の上部を示す斜視図である。
【図５】図４に示すコンピューターの光学ドライブユニットを９０度回転した状態の斜視図である。
【図６】従来のデータ処理装置のペン入力型のパソコンの一部を破断した斜視図である。
【図７】従来のデータ処理装置におけるディスクドライブ装置の方向転換を説明する平面図である。
【図８】図７におけるガイド及び線ばねの構成を示す平面図である。
【図９】従来の小型コンピュータ装置における光学情報記録再生装置の電源供給状態を示す斜視図である。
【図１０】同装置におけるコンピュータ本体に光学情報記録再生装置を取付姿勢を異ならせて装填する状態を示す斜視図である。
【符号の説明】
【００２４】
１      コンピューター本体
１ａ    筐体
１ｂ    係止片
１ｃ    係止片
１ｄ    上壁
１ｅ    円筒状部
２      光学ドライブユニット
２ａ    筐体
２ｂ    突出部分
２ｃ    円形の突起
４      大筒状部
５      小筒状部
６      略Ｌ字形のケーブル
７      トレイ
８      コンピューター本体
８ａ    筐体
８ｂ    凹所
８ｃ    弧状凹部
【図１】
2007293692.tif 000003
【図２】
2007293692.tif 000004
【図３】
2007293692.tif 000005
【図４】
2007293692.tif 000006
【図５】
2007293692.tif 000007
【図６】
2007293692.tif 000008
【図７】
2007293692.tif 000009
【図８】
2007293692.tif 000010
【図９】
2007293692.tif 000011
【図１０】
2007293692.tif 000012